(57)【要約】ガスライン（１）内を流れる可燃性ガス混合物流の一部を取り出し（１３）、圧縮し（１２）、合成ガス混合物（６）からの活性ガス（４）の生産のためのユニット（３）内で再循環ガスとして処理する。活性成分の部分が効果的に除去された上記流れの部分を（１５で）ライン（１）中に再注入する。これは、石油化学サイトに有用である。
2005517084.tif 000002
【特許請求の範囲】
【請求項１】
少なくとも第２の活性成分を含み、第１の圧力でガスライン（１）内を流れる可燃性ガス混合物をその成分の少なくとも１つにおいて富化させるための方法であって、以下の工程：
−  部分流をライン（１）からバイパスさせ、
−  このバイパス流を前記第１の圧力よりも高い第２の圧力まで圧縮し、
−  この圧縮されたバイパス流を、分離させるガス混合物（６）が前記第１の圧力よりも高い圧力で供給されるガス分離ユニット（３）中で処理し、第１の出口（９）において前記第２の活性成分に富む混合物を供給し、
−  前記処理された流れを前記ユニット（３）の第２の出口（１４）から実質的に前記第１の圧力で前記ライン（１）に再注入（１５）する
工程を包含する方法。
【請求項２】
前記第２の活性成分が水素であることを特徴とする請求項１に記載の方法。
【請求項３】
前記分離させるガス混合物（６）が、改質ガスであることを特徴とする請求項１または２に記載の方法。
【請求項４】
前記ガス分離ユニット（３）が、吸着タイプのものであることを特徴とする請求項１〜３のいずれか１項に記載の方法。
【請求項５】
請求項１〜４のいずれか１項に記載の方法を実施するための設備であって、
−  可燃性ガス混合物のライン（１）、
−  分離されるガス混合物の入口（８）、生産ガス（４）の出口（９）、中間出口（１０）、入口がライン（１）の上流側バイパス点（１３）および前記ユニットの中間出口（１０）に接続された圧縮機（１２）の出口に接続された中間入口（１１）、および前記ライン（１）の下流側点（１５）に接続された補助出口（１４）を備えるガス分離ユニット（３）
を具備する設備。
【請求項６】
前記分離ユニット（３）が、入口が前記分離されるガス混合物（６）の入口と前記中間入口（１１）とに選択的に接続可能であり、かつ出口が前記生産ガス（４）の出口（９）と前記中間出口（１０）とに選択的に接続可能であるところの少なくとも３つの吸着器を備えることを特徴とする請求項５に記載の設備。
【発明の詳細な説明】
【発明の開示】
【０００１】
本発明は、少なくとも第２の活性成分を含み、第１の圧力でガスライン内を流れる可燃性ガス混合物をその成分の少なくとも第１において富化するための方法に関する。
【０００２】
上記可燃性ガスラインは、多数の化学および石油化学プラントで使用されており、そこでは、それらはバーナーや他の加熱ステーションに供給するために使用される。
【０００３】
活性ガス生産プラントの出口で補助ガスとして利用し得る可燃性成分で可燃性ガス混合物を富化させるための方法が知られており、補助ガスは、ライン内を流れるガス混合物に添加される。
【０００４】
本発明の主題は、成分の第２を抽出し、第１の成分をライン中に再注入することによりライン内を流れる可燃性ガス混合物を富化させるための方法である。
【０００５】
本発明によりこれを行うために、本方法は、以下の工程：
−  部分流をラインからバイパスさせ、
−  このバイパス流を該第１の圧力よりも高い第２の圧力まで圧縮し、
−  この圧縮されたバイパス流を、分離させるガス混合物が該第１の圧力よりも高い圧力、有利には該第２の圧力に近い圧力で供給されるガス分離ユニット中で処理し、第１の出口において該第２の活性成分に富む混合物を供給し、
−  該処理された流れを該分離ユニットの第２の出口から実質的に該第１の圧力で該ラインに再注入する
工程を包含する。
【０００６】
本発明のさらなる主題は、この方法を実施するための設備であって、
−  可燃性ガス混合物のライン、
−  分離されるガス混合物の入口、生産ガスの出口、中間出口、入口が該ラインの上流側バイパス点および該ユニットの中間出口に接続された圧縮機の出口に接続された中間入口、および該ラインの下流側点に接続された補助出口を備えるガス分離ユニット（３）
を具備する設備である。
【０００７】
本発明の他の特徴および利点は、ここに添付した図面とともに、例示のために与えられ限定的でない以下の態様の記述から明らかとなろう。図面において、
図１は、本発明による方法を実施するための設備を概略的に示すものである。
【０００８】
図１は、工業的設備の活性または受動要素を加熱するための複数組のバーナー２のような種々のユーザーステーションに供給する一般に「燃料ガス」と呼ばれる可燃性ガス混合物の分配ライン１を示している。
【０００９】
ここで考慮されている用途において、この工業設備は、典型的には接触改質ユニット７により生産される合成ガス混合物６から、設備のユーザーステーション５に、精製された生産ガス４、典型的には水素を供給する、典型的には「ＰＳＡ」吸着タイプの、ユニット３を備える。すなわち、ユニット３は、高圧でガス（６）を受ける主入口８と、生産ガス４を実質的にこの高圧で産出する出口９を備える。ユニット３は、さらに、少なくとも１つの中間出口１０を備え、そこから再循環ガスが、該高圧よりも低い圧力で、ユニット１３の中間入口１１に送られる。
【００１０】
本発明の１つの側面によれば、中間入口１１は、入口が選択的に中間出口１０およびライン１の上流側バイパス点１３に接続される圧縮機１２の出口に接続される。相関的に、ユニット３は、ライン１の下流側注入点１５に接続された補助出口１４を備える。より具体的には、少なくとも３つの、典型的には少なくとも４つの吸着器であって、その入口が分離されるガスの入口８および中間入口１１に選択的に接続可能であり、その出口が生産ガスの出口９および中間出口１０に選択的に接続可能である吸着器を備える。
【００１１】
かくして、本発明の方法によれば、ライン１内の可燃性ガス流のバイパス部分が、圧縮機１２内で圧縮されて、ユニット３内で、このユニット３からの再循環パージガスとして処理され、それにより、水素の生産を増大させ、したがってほぼ本質的に炭化水素からなる処理済みバイパス流を補助出口１４を介して返還するためにこのバイパス流から水素を抽出し、これらの炭化水素をライン１に再注入し、それによりバーナー２に送られるガスの発熱量を向上させるように作用する。
【００１２】
典型的に、ライン１内の圧力は、約６バールであり、ユニット１の入口８での供給ガス圧６は、約２５バールであり、圧縮機１２は、約５の圧縮比を有する。
【００１３】
以上、本発明を特定の態様に関して説明したが、本発明はそれにより限定されるものではなく、特許請求の範囲の枠内において当業者に明らかな変更および改変を受け得るものである。
【図面の簡単な説明】
【００１４】
【図１】本発明による方法を実施するための設備の概略図。
【符号の説明】
【００１５】
１…ガスライン
３…ガス分離ユニット
４…生産ガス
６…ガス混合物
８…ガス混合物の入口
９…生産ガスの出口
１０…ガス分離ユニットの中間出口
１１…ガス分離ユニットの中間入口
１２…圧縮機
１３…上流側バイパス点
１４…補助出口
１５…下流側注入点
【図１】
2005517084.tif 000003
【国際調査報告】
2005517084.tif 000004
2005517084.tif 000005
2005517084.tif 000006
2005517084.tif 000007